(57)【要約】【課題】「Ｐｅｒｓｉｓｔｅｎｔスケジューリング」の開始時点を柔軟に設定する。【解決手段】本発明に係る移動局ＵＥは、第１周期と第２周期と第２割当開始時点とを含むＰｅｒｓｉｓｔｅｎｔ情報を受信するＰｅｒｓｉｓｔｅｎｔ情報受信部１１と、無線基地局ｅＮＢからＰＤＣＣＨを受信した場合に、下り無線リソースの割り当ての起点となる第２割当開始時点を決定し、下り無線リソースを介した下りデータの受信及び上り無線リソースを介した送達確認情報の送信を開始する通信部１３、１４とを具備し、下り無線リソースが割り当てられる第１時点と第１時点の後で上り無線リソースが最初に割り当てられている第２時点との時間差が所定期間より短い場合、通信部１３、１４は、第２時点の次に上り無線リソースが割り当てられている第３時点で、上り無線リソースを介した送達確認情報の送信を開始する。【選択図】図２
2009260403.tif 000002
【特許請求の範囲】
【請求項１】
移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信方法であって、
前記無線基地局が、前記移動局に対して、前記第１周期と、前記第２周期とを通知する工程Ａと、
前記移動局が、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行う工程Ｂとを有し、
前記工程Ｂにおいて、前記下り無線リソースが割り当てられている第１時点と、該第１時点の後で前記上り無線リソースが最初に割り当てられている第２時点との時間差が、所定時間より短い場合、前記移動局は、該第２時点の次に前記上り無線リソースが割り当てられている第３時点で、前記第１時点で受信した前記下りデータに対する前記送達確認情報の送信を、該上り無線リソースを介して行うことを特徴とする移動通信方法。
【請求項２】
前記工程Ａにおいて、前記無線基地局が、前記移動局に対して、前記第１周期及び前記第２周期と共に、前記第２割当開始時点を通知することを特徴とする請求項１に記載の移動通信方法。
【請求項３】
前記工程Ｂにおいて、前記移動局が、前記無線基地局から固定的割当信号を受信した場合に、前記第１割当開始時点及び前記第２割当開始時点を決定することを特徴とする請求項１に記載の移動通信方法。
【請求項４】
前記工程Ｂにおいて、前記第１時点と前記第２時点との時間差が前記所定期間より短い場合、前記移動局において、該第２時点前に生成された前記送達確認情報が、前記第３時点まで送信されないで蓄積されることを特徴とする請求項１に記載の移動通信方法。
【請求項５】
前記工程Ｂにおいて、前記第１時点と前記第２時点との時間差が前記所定期間より短い場合、前記移動局において、前記第２時点後に、前記送達確認情報の生成が完了することを特徴とする請求項１に記載の移動通信方法。
【請求項６】
移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信方法であって、
前記無線基地局が、前記移動局に対して、前記第１周期と、前記第２周期とを通知する工程Ａと、
前記移動局が、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行う工程Ｂとを有し、
前記工程Ｂにおいて、前記下り無線リソースが割り当てられている第１時点と、該第１時点の後で前記上り無線リソースが最初に割り当てられている第２時点との時間差が、所定時間以上である場合、前記移動局は、該第２時点で、前記第１時点で受信した前記下りデータに対する前記送達確認情報の送信を、該上り無線リソースを介して行うことを特徴とする移動通信方法。
【請求項７】
前記工程Ａにおいて、前記無線基地局が、前記移動局に対して、前記第１周期及び前記第２周期と共に、前記第２割当開始時点を通知することを特徴とする請求項６に記載の移動通信方法。
【請求項８】
前記工程Ｂにおいて、前記移動局が、前記無線基地局から固定的割当信号を受信した場合に、前記第１割当開始時点及び前記第２割当開始時点を決定することを特徴とする請求項６に記載の移動通信方法。
【請求項９】
第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信するように構成されている移動局であって、
前記無線基地局から、前記第１周期と、前記第２周期とを含む固定的通信情報を受信するように構成されている固定的通信情報受信部と、
前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行うように構成されている通信部とを具備し、
前記下り無線リソースが割り当てられている第１時点と、該第１時点の後で前記上り無線リソースが最初に割り当てられている第２時点との時間差が、所定時間より短い場合、前記通信部は、該第２時点の次に前記上り無線リソースが割り当てられている第３時点で、前記第１時点で受信した前記下りデータに対する前記送達確認情報の送信を、該上り無線リソースを介して行うように構成されていることを特徴とする移動局。
【請求項１０】
前記固定的通信情報受信部は、前記第１周期及び前記第２周期と共に、前記第２割当開始時点を受信するように構成されていることを特徴とする請求項９に記載の移動局。
【請求項１１】
前記通信部は、前記無線基地局から固定的割当信号を受信した場合に、前記第１割当開始時点及び前記第２割当開始時点を決定するように構成されていることを特徴とする請求項９に記載の移動局。
【請求項１２】
前記通信部は、前記第１時点と前記第２時点との時間差が前記所定期間より短い場合、該第２時点前に生成された前記送達確認情報を、前記第３時点まで送信しないで蓄積しておくように構成されていることを特徴とする請求項９に記載の移動局。
【請求項１３】
前記通信部は、前記第１時点と前記第２時点との時間差が前記所定期間より短い場合、前記第２時点後に、前記送達確認情報の生成を完了させるように構成されていることを特徴とする請求項９に記載の移動局。
【請求項１４】
第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信するように構成されている移動局であって、
前記無線基地局から、前記第１周期と、前記第２周期と、前記第２割当開始時点とを含む固定的通信情報を受信するように構成されている固定的通信情報受信部と、
前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行うように構成されている通信部とを具備し、
前記下り無線リソースが割り当てられている第１時点と、該第１時点の後で前記上り無線リソースが最初に割り当てられている第２時点との時間差が、所定時間以上である場合、前記通信部は、該第２時点で、前記第１時点で受信した前記下りデータに対する前記送達確認情報の送信を、該上り無線リソースを介して行うように構成されていることを特徴とする移動局。
【請求項１５】
前記固定的通信情報受信部は、前記第１周期及び前記第２周期と共に、前記第２割当開始時点を受信するように構成されていることを特徴とする請求項１４に記載の移動局。
【請求項１６】
前記通信部は、前記無線基地局から固定的割当信号を受信した場合に、前記第１割当開始時点及び前記第２割当開始時点を決定するように構成されていることを特徴とする請求項１４に記載の移動局。
【請求項１７】
移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信システムで用いられる無線基地局であって、
前記移動局に対して、前記第１周期及び前記第２周期とを通知するように構成されており、
前記移動局に対して、固定的割当信号を送信した場合に、前記第１割当開始時点を起点として前記下り無線リソースを介した前記下りデータの送信を行うように構成されており、
前記下り無線リソースを割り当てている第１時点と、該第１時点の後で前記上り無線リソースを最初に割り当てている第２時点との時間差が、所定時間より短い場合、前記移動局から、該第２時点の次に前記上り無線リソースが割り当てている第３時点で、前記第１時点で送信した前記下りデータに対する前記送達確認情報を該上り無線リソースを介して受信するように構成されていることを特徴とする無線基地局。
【請求項１８】
前記移動局に対して、前記第１周期及び前記第２周期と共に、前記第２割当開始時点を通知するように構成されていることを特徴とする請求項１７に記載の無線基地局。
【請求項１９】
前記移動局が、前記無線基地局から固定的割当信号を受信した場合に、前記第１割当開始時点及び前記第２割当開始時点を決定するように構成されていることを特徴とする請求項１７に記載の無線基地局。
【請求項２０】
移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信システムで用いられる無線基地局であって、
前記移動局に対して、前記第１周期及び前記第２周期とを通知するように構成されており、
前記移動局に対して、固定的割当信号を送信した場合に、前記第１割当開始時点を起点として前記下り無線リソースを介した前記下りデータの送信を行うように構成されており、
前記下り無線リソースが割り当てられている第１時点と、該第１時点の後で前記上り無線リソースが最初に割り当てられている第２時点との時間差が、所定時間以上である場合、前記移動局から、該第２時点で、前記第１時点で受信した前記下りデータに対する前記送達確認情報の送信を該上り無線リソースを介して受信するように構成されていることを特徴とする無線基地局。
【請求項２１】
前記移動局に対して、前記第１周期及び前記第２周期と共に、前記第２割当開始時点を通知するように構成されていることを特徴とする請求項２０に記載の無線基地局。
【請求項２２】
前記移動局が、前記無線基地局から固定的割当信号を受信した場合に、前記第１割当開始時点及び前記第２割当開始時点を決定するように構成されていることを特徴とする請求項２０に記載の無線基地局。
【請求項２３】
前記第１周期と前記第２周期とが同一であることを特徴とする請求項１乃至８のいずれか一項に記載の移動通信方法。
【請求項２４】
前記第１周期と前記第２周期とが同一であることを特徴とする請求項９乃至１６のいずれか一項に記載の移動局。
【請求項２５】
前記第１周期と前記第２周期とが同一であることを特徴とする請求項１７乃至２２のいずれか一項に記載の無線基地局。
【請求項２６】
前記移動局が、下りデータを送信するための下り無線リソース及び該下りデータに対する送達確認情報を送信するための上り無線リソースを動的に割り当てる動的割当信号を前記無線基地局から受信した場合で、かつ、該動的割当信号によって該上り無線リソースが動的に割り当てられている時点が前記第３時点となる場合に、該移動局は、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信することを特徴とする請求項１に記載の移動通信方法。
【請求項２７】
前記移動局が、下りデータを送信するための下り無線リソース及び該下りデータに対する送達確認情報を送信するための上り無線リソースを動的に割り当てる動的割当信号を前記無線基地局から受信した場合で、かつ、該動的割当信号によって該上り無線リソースが動的に割り当てられている時点が前記第２時点となる場合に、該移動局は、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信することを特徴とする請求項６に記載の移動通信方法。
【請求項２８】
下りデータを送信するための下り無線リソース及び該下りデータに対する送達確認情報を送信するための上り無線リソースを動的に割り当てる動的割当信号が前記無線基地局から受信された場合で、かつ、該動的割当信号によって該上り無線リソースが動的に割り当てられている時点が前記第３時点となる場合に、前記通信部は、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信するように構成されていることを特徴とする請求項９に記載の移動局。
【請求項２９】
下りデータを送信するための下り無線リソース及び該下りデータに対する送達確認情報を送信するための上り無線リソースを動的に割り当てる動的割当信号が前記無線基地局から受信された場合で、かつ、該動的割当信号によって該上り無線リソースが動的に割り当てられている時点が前記第２時点となる場合に、前記通信部は、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信するように構成されていることを特徴とする請求項１４に記載の移動局。
【請求項３０】
前記移動局に対して、下りデータを送信するための下り無線リソース及び該下りデータに対する送達確認情報を送信するための上り無線リソースを動的に割り当てる動的割当信号を送信する場合で、かつ、該動的割当信号によって該上り無線リソースが動的に割り当てられる時点が前記第３時点となる場合に、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を受信するように構成されていることを特徴とする請求項１７に記載の無線基地局。
【請求項３１】
前記移動局に対して、下りデータを送信するための下り無線リソース及び該下りデータに対する送達確認情報を送信するための上り無線リソースを動的に割り当てる動的割当信号を送信する場合で、かつ、該動的割当信号によって該上り無線リソースが動的に割り当てられる時点が前記第２時点となる場合に、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を受信するように構成されていることを特徴とする請求項２０に記載の無線基地局。
【発明の詳細な説明】
【技術分野】
【０００１】
本発明は、移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信方法、移動局及び無線基地局に関する。
【背景技術】
【０００２】
ＬＴＥ（Ｌｏｎｇ  Ｔｅｒｍ  Ｅｖｏｌｕｔｉｏｎ）方式の移動通信システムにおける通常の下りスケジューリング（Ｄｙｎａｍｉｃスケジューリング）では、図５に示すように、無線基地局ｅＮＢが、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）によって、当該移動局ＵＥ宛ての下りデータを送信するための下り無線リソース（ＰＤＳＣＨ：Ｐｈｙｓｉｃａｌ  Ｄｏｗｎｌｉｎｋ  Ｓｈａｒｅｄ  Ｃｈａｎｎｅｌ）及び当該下りデータに対する送達確認情報（ＡＣＫ/ＮＡＣＫ）を送信するための上り無線リソース（ＰＵＣＣＨ：Ｐｈｙｓｉｃａｌ  Ｕｐｌｉｎｋ  Ｃｏｎｔｒｏｌ  Ｃｈａｎｎｅｌ）を動的に割り当てるように構成されている。
【０００３】
なお、Ｄｙｎａｍｉｃスケジューリングでは、ＰＤＣＣＨにて割り当てられる上述の下り無線リソース（ＰＤＳＣＨ）は、ＰＤＣＣＨが送信された当該サブフレームにおいてのみ有効であり、また、上述の上り無線リソース（ＰＵＣＣＨ）は、ＰＤＣＣＨが送信されたサブフレームから所定期間後（例えば、４サブフレーム後）のサブフレームにおいてのみ有効である。
【０００４】
ここで、無線基地局ｅＮＢは、上述のＰＤＣＣＨと同一のサブフレーム（ＴＴＩ：Ｔｒａｎｓｍｉｓｓｉｏｎ  Ｔｉｍｅ  Ｉｎｔｅｒｖａｌ）内で、上述の下り無線リソース（ＰＤＳＣＨ）を割り当てるように構成されている。
【０００５】
図５の例では、サブフレーム＃１において、上述の下り無線リソース（ＰＤＳＣＨ）が割り当てられており、サブフレーム＃５において、上述の上り無線リソース（ＰＵＣＣＨ）が割り当てられている。
【０００６】
一方、ＶｏＩＰ等を実現するために検討されている「Ｐｅｒｓｉｓｔｅｎｔスケジューリング」では、無線基地局ｅＮＢは、ＰＤＣＣＨを移動局に送信し、ＰＤＣＣＨを送信した当該サブフレーム（第１割当開始時点）を起点として、上述の下り無線リソース（ＰＤＳＣＨ）を、第１周期で固定的に当該移動局に割り当て、上述の上り無線リソース（ＰＵＣＣＨ）を、上位レイヤ（ＲＲＣ：Ｒａｄｉｏ  Ｒｅｓｏｕｒｃｅ  Ｃｏｎｔｒｏｌ）シグナリングにて移動局に通知してある第２割当開始時点を起点として、第２周期で固定的に当該移動局に割り当てるように構成されている。
【０００７】
図６の例では、１無線フレームおきのサブフレーム＃１において、上述の下り無線リソース（ＰＤＳＣＨ）が固定的に割り当てられており、各無線フレームにおけるサブフレーム＃５において、上述の上り無線リソース（ＰＵＣＣＨ）が固定的に割り当てられている。
【０００８】
なお、ＬＴＥ方式の移動通信システムでは、無線フレームは１０ｍｓであり、サブフレーム＃０〜＃９により構成される（サブフレームは１ｍｓである）。
【非特許文献１】３ＧＰＰ  ＴＳ３６.２１３  ｖ８.２.０
【非特許文献１】３ＧＰＰ  ＴＳ２６.３２１  ｖ８.１.０
【発明の開示】
【発明が解決しようとする課題】
【０００９】
ここで、従来では、上述の下り無線リソース（ＰＤＳＣＨ）が割り当てられる時点と上述の上り無線リソース（ＰＵＣＣＨ）が割り当てられる時点との時間差とが所定期間（例えば、４サブフレーム）となるように規定されている。
【００１０】
したがって、「Ｐｅｒｓｉｓｔｅｎｔスケジューリング」にて割り当てられる下り無線リソース（ＰＤＳＣＨ）のタイミングは、上り無線リソース（ＰＵＣＣＨ）が割り当てられているタイミングの所定期間前のタイミングに限定されてしまうという問題点があった。
【００１１】
そこで、本発明は、上述の課題に鑑みてなされたものであり、「Ｐｅｒｓｉｓｔｅｎｔスケジューリング」にて割り当てられる下り無線リソース（ＰＤＳＣＨ）のタイミングを柔軟に設定することができる移動通信方法、移動局及び無線基地局を提供することを目的とする。
【課題を解決するための手段】
【００１２】
本発明の第１の特徴は、移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信方法であって、前記無線基地局が、前記移動局に対して、前記第１周期と、前記第２周期とを通知する工程Ａと、前記移動局が、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行う工程Ｂとを有し、前記工程Ｂにおいて、前記下り無線リソースが割り当てられている第１時点と、該第１時点の後で前記上り無線リソースが最初に割り当てられている第２時点との時間差が、所定時間より短い場合、前記移動局は、該第２時点の次に前記上り無線リソースが割り当てられている第３時点で、前記第１時点で受信した前記下りデータに対する前記送達確認情報の送信を、該上り無線リソースを介して行うことを要旨とする。
【００１３】
本発明の第１の特徴において、前記工程Ｂにおいて、前記第１時点と前記第２時点との時間差が前記所定期間より短い場合、前記移動局において、該第２時点前に生成された前記送達確認情報が、前記第３時点まで送信されないで蓄積されてもよい。
【００１４】
本発明の第１の特徴において、前記工程Ｂにおいて、前記第１時点と前記第２時点との時間差が前記所定期間より短い場合、前記移動局において、前記第２時点後に、前記送達確認情報の生成が完了してもよい。
【００１５】
本発明の第２の特徴は、移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信方法であって、前記無線基地局が、前記移動局に対して、前記第１周期と、前記第２周期と、前記第２割当開始時点とを通知する工程Ａと、前記移動局が、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行う工程Ｂとを有し、前記工程Ｂにおいて、前記下り無線リソースが割り当てられている第１時点と、該第１時点の後で前記上り無線リソースが最初に割り当てられている第２時点との時間差が、所定時間以上である場合、前記移動局は、該第２時点で、前記第１時点で受信した前記下りデータに対する前記送達確認情報の送信を、該上り無線リソースを介して行うことを要旨とする。
【００１６】
本発明の第１及び２の特徴において、前記工程Ａにおいて、前記無線基地局が、前記移動局に対して、前記第１周期及び前記第２周期と共に、前記第２割当開始時点を通知してもよい。
【００１７】
本発明の第１及び２の特徴において、前記工程Ｂにおいて、前記移動局が、前記無線基地局から固定的割当信号を受信した場合に、前記第１割当開始時点及び前記第２割当開始時点を決定してもよい。
【００１８】
本発明の第１及び２の特徴において、前記第１周期と前記第２周期とが同一であってもよい。
【００１９】
本発明の第３の特徴は、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信するように構成されている移動局であって、前記無線基地局から、前記第１周期と、前記第２周期と、前記第２割当開始時点とを含む固定的通信情報を受信するように構成されている固定的通信情報受信部と、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行うように構成されている通信部とを具備し、前記下り無線リソースが割り当てられている第１時点と、該第１時点の後で前記上り無線リソースが最初に割り当てられている第２時点との時間差が、所定時間より短い場合、前記通信部は、該第２時点の次に前記上り無線リソースが割り当てられている第３時点で、前記第１時点で受信した前記下りデータに対する前記送達確認情報の送信を、該上り無線リソースを介して行うように構成されていることを要旨とする。
【００２０】
本発明の第３の特徴において、前記通信部は、前記第１時点と前記第２時点との時間差が前記所定期間より短い場合、該第２時点前に生成された前記送達確認情報を、前記第３時点まで送信しないで蓄積しておくように構成されていてもよい。
【００２１】
本発明の第３の特徴において、前記通信部は、前記第１時点と前記第２時点との時間差が前記所定期間より短い場合、前記第２時点後に、前記送達確認情報の生成を完了させるように構成されていてもよい。
【００２２】
本発明の第４の特徴は、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信するように構成されている移動局であって、前記無線基地局から、前記第１周期と、前記第２周期と、前記第２割当開始時点とを含む固定的通信情報を受信するように構成されている固定的通信情報受信部と、前記無線基地局から固定的割当信号を受信した場合に、前記第１割当開始時点を決定し、該第１割当開始時点及び該第２割当開始時点を起点として前記下り無線リソースを介した前記下りデータの受信及び前記上り無線リソースを介した前記送達確認情報の送信を行うように構成されている通信部とを具備し、前記下り無線リソースが割り当てられている第１時点と、該第１時点の後で前記上り無線リソースが最初に割り当てられている第２時点との時間差が、所定時間以上である場合、前記通信部は、該第２時点で、前記第１時点で受信した前記下りデータに対する前記送達確認情報の送信を、該上り無線リソースを介して行うように構成されていることを要旨とする。
【００２３】
本発明の第３及び４の特徴において、前記固定的通信情報受信部は、前記第１周期及び前記第２周期と共に、前記第２割当開始時点を受信するように構成されていてもよい。
【００２４】
本発明の第３及び４の特徴において、前記通信部は、前記無線基地局から固定的割当信号を受信した場合に、前記第１割当開始時点及び前記第２割当開始時点を決定するように構成されていてもよい。
【００２５】
本発明の第３及び４に特徴において、前記第１周期と前記第２周期とが同一であってもよい。
【００２６】
本発明の第５の特徴は、移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信システムで用いられる無線基地局であって、前記移動局に対して、前記第１周期及び前記第２周期とを通知するように構成されており、前記移動局に対して、固定的割当信号を送信した場合に、前記第１割当開始時点を起点として前記下り無線リソースを介した前記下りデータの送信を行うように構成されており、前記下り無線リソースを割り当てている第１時点と、該第１時点の後で前記上り無線リソースを最初に割り当てている第２時点との時間差が、所定時間より短い場合、前記移動局から、該第２時点の次に前記上り無線リソースが割り当てている第３時点で、前記第１時点で送信した前記下りデータに対する前記送達確認情報を該上り無線リソースを介して受信するように構成されていることを要旨とする。
【００２７】
本発明の第６の特徴は、移動局が、第１割当開始時点を起点として第１周期で固定的に割り当てられている下り無線リソースを用いて、無線基地局から送信された下りデータを受信し、第２割当開始時点を起点として第２周期で固定的に割り当てられている上り無線リソースを用いて該下りデータに対する送達確認情報を送信する移動通信システムで用いられる無線基地局であって、前記移動局に対して、前記第１周期及び前記第２周期とを通知するように構成されており、前記移動局に対して、固定的割当信号を送信した場合に、前記第１割当開始時点を起点として前記下り無線リソースを介した前記下りデータの送信を行うように構成されており、前記下り無線リソースが割り当てられている第１時点と、該第１時点の後で前記上り無線リソースが最初に割り当てられている第２時点との時間差が、所定時間以上である場合、前記移動局から、該第２時点で、前記第１時点で受信した前記下りデータに対する前記送達確認情報の送信を該上り無線リソースを介して受信するように構成されていることを要旨とする。
【００２８】
本発明の第５及び６の特徴において、前記移動局に対して、前記第１周期及び前記第２周期と共に、前記第２割当開始時点を通知するように構成されていてもよい。
【００２９】
本発明の第５及び６の特徴において、前記移動局が、前記無線基地局から固定的割当信号を受信した場合に、前記第１割当開始時点及び前記第２割当開始時点を決定するように構成されていてもよい。
【００３０】
本発明の第５及び６の特徴において、前記第１周期と前記第２周期とが同一であってもよい。
【００３１】
本発明の第１の特徴において、前記移動局が、下りデータを送信するための下り無線リソース及び該下りデータに対する送達確認情報を送信するための上り無線リソースを動的に割り当てる動的割当信号を前記無線基地局から受信した場合で、かつ、該動的割当信号によって該上り無線リソースが動的に割り当てられている時点が前記第３時点となる場合に、該移動局は、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信してもよい。
【００３２】
本発明の第２の特徴において、前記移動局が、下りデータを送信するための下り無線リソース及び該下りデータに対する送達確認情報を送信するための上り無線リソースを動的に割り当てる動的割当信号を前記無線基地局から受信した場合で、かつ、該動的割当信号によって該上り無線リソースが動的に割り当てられている時点が前記第２時点となる場合に、該移動局は、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信してもよい。
【００３３】
本発明の第３の特徴において、下りデータを送信するための下り無線リソース及び該下りデータに対する送達確認情報を送信するための上り無線リソースを動的に割り当てる動的割当信号が前記無線基地局から受信された場合で、かつ、該動的割当信号によって該上り無線リソースが動的に割り当てられている時点が前記第３時点となる場合に、前記通信部は、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信するように構成されていてもよい。
【００３４】
本発明の第４の特徴において、下りデータを送信するための下り無線リソース及び該下りデータに対する送達確認情報を送信するための上り無線リソースを動的に割り当てる動的割当信号が前記無線基地局から受信された場合で、かつ、該動的割当信号によって該上り無線リソースが動的に割り当てられている時点が前記第２時点となる場合に、前記通信部は、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を送信するように構成されていてもよい。
【００３５】
本発明の第５の特徴において、前記移動局に対して、下りデータを送信するための下り無線リソース及び該下りデータに対する送達確認情報を送信するための上り無線リソースを動的に割り当てる動的割当信号を送信する場合で、かつ、該動的割当信号によって該上り無線リソースが動的に割り当てられる時点が前記第３時点となる場合に、該第３時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を受信するように構成されていてもよい。
【００３６】
本発明の第６の特徴において、前記移動局に対して、下りデータを送信するための下り無線リソース及び該下りデータに対する送達確認情報を送信するための上り無線リソースを動的に割り当てる動的割当信号を送信する場合で、かつ、該動的割当信号によって該上り無線リソースが動的に割り当てられる時点が前記第２時点となる場合に、該第２時点において、前記固定的割当信号によって割り当てられた前記下り無線リソースを介して受信した前記下りデータに対する送達確認情報、或いは、該動的割当信号によって割り当てられた前記下り無線リソースを介して受信した前記下りデータに対する送達確認情報のいずれか一方を受信するように構成されていてもよい。
【発明の効果】
【００３７】
以上説明したように、本発明によれば、「Ｐｅｒｓｉｓｔｅｎｔスケジューリング」にて割り当てられる下り無線リソース（ＰＤＳＣＨ）のタイミングを柔軟に設定することができる移動通信方法、移動局及び無線基地局を提供することができる。
【発明を実施するための最良の形態】
【００３８】
（本発明の第１の実施形態に係る移動通信システムの構成）
図１及び図２を参照して、本発明の第１の実施形態に係る移動通信システムの構成について説明する。なお、本実施形態では、ＬＴＥ方式の移動通信システムを例に挙げて説明するが、本発明は、他方式の移動通信システムにも適用可能である。
【００３９】
また、本実施形態に係る移動通信システムでは、移動局ＵＥが、第１割当開始時点を起点として第１周期で固定的に割り当てられているＰＤＳＣＨ（下り無線リソース）を用いて、無線基地局ｅＮＢから送信された下りデータを受信し、第２割当開始時点を起点として第２周期で固定的に割り当てられているＰＵＣＣＨ（上り無線リソース）を用いて当該下りデータに対する送達確認情報（ＡＣＫ/ＮＡＣＫ）を送信するように構成されている。
【００４０】
図１に示すように、移動局ＵＥは、Ｐｅｒｓｉｓｔｅｎｔ情報受信部１１と、Ｐｅｒｓｉｓｔｅｎｔ割当信号受信部１２と、下りデータ受信部１３と、ＡＣＫ/ＮＡＣＫ送信部１４とを具備している。
【００４１】
Ｐｅｒｓｉｓｔｅｎｔ情報受信部１１は、無線基地局ｅＮＢから、上述の第１周期と上述の第２周期とを含むＰｅｒｓｉｓｔｅｎｔ情報（固定的通信情報）を受信するように構成されている。
【００４２】
具体的には、Ｐｅｒｓｉｓｔｅｎｔ情報受信部１１は、無線基地局ｅＮＢによって送信されたＲＲＣ（Ｒａｄｉｏ  Ｒｅｓｏｕｒｃｅ  Ｃｏｎｔｒｏｌ）メッセージに基づいて、上述のＰｅｒｓｉｓｔｅｎｔ情報を取得するように構成されている。
【００４３】
なお、ＬＴＥ方式の移動通信システムでは、かかるＰｅｒｓｉｓｔｅｎｔ情報には、上述の第１割当開始時点についての情報は含まれていない。一方、ＬＴＥ方式の移動通信システムでは、かかるＰｅｒｓｉｓｔｅｎｔ情報に、上述の第２割当開始時点が含まれていてもよい。
【００４４】
これは、無線基地局ｅＮＢが、上述のＰＤＳＣＨ（下り無線リソース）の割り当てを行う時間リソースについて柔軟に決定できるようにすることによって、「Ｐｅｒｓｉｓｔｅｎｔスケジューリング」を適用した時に無線リソースの利用効率の向上を図るためである。
【００４５】
Ｐｅｒｓｉｓｔｅｎｔ割当信号受信部１２は、無線基地局ｅＮＢから固定的割当信号を受信するように構成されている。
【００４６】
具体的には、Ｐｅｒｓｉｓｔｅｎｔ割当信号受信部１２は、無線基地局ｅＮＢから、固定的割当信号として、「Ｐｅｒｓｉｓｔｅｎｔスケジューリング」用のＰＤＳＣＨ（下り無線リソース）の固定的な割り当てを指示するＰＤＣＣＨを受信するように構成されている。
【００４７】
例えば、Ｐｅｒｓｉｓｔｅｎｔ割当信号受信部１２は、ＰＤＣＣＨに設定されているＲＮＴＩ等に基づいて、「Ｐｅｒｓｉｓｔｅｎｔスケジューリング」用のＰＤＳＣＨ（下り無線リソース）の固定的な割り当てを指示するＰＤＣＣＨであるのか、或いは、通常の下りスケジューリング用のＰＤＳＣＨ（下り無線リソース）を動的に割り当てるＰＤＣＣＨであるのかについて判定するように構成されていてもよい。
【００４８】
下りデータ受信部１３は、ＰＤＣＣＨによって割り当てられたＰＤＳＣＨ（下り無線リソース）を介して送信される下りデータを受信するように構成されている。
【００４９】
具体的には、下りデータ受信部１３は、Ｐｅｒｓｉｓｔｅｎｔ割当信号受信部１２によって上述のＰｅｒｓｉｓｔｅｎｔ割当信号（固定的割当信号）が受信された場合に、かかるＰＤＣＣＨを受信したサブフレームを上述の第１割当開始時点として決定し、該第１割当開始時点を起点として上述の第１周期で固定的に「Ｐｅｒｓｉｓｔｅｎｔスケジューリング」用のＰＤＳＣＨ（下り無線リソース）を介した下りデータの受信を行うように構成されている。
【００５０】
図２の例では、サブフレーム＃１において、Ｐｅｒｓｉｓｔｅｎｔ割当信号受信部１２が、上述のＰｅｒｓｉｓｔｅｎｔ割当信号としてのＰＤＣＣＨを受信したため、下りデータ受信部１３は、当該ＰＤＣＣＨによって指定されたサブフレーム＃１内のリソースブロック（サブキャリアの集合）にマッピングされているＰＤＳＣＨ（下り無線リソース）を介して、下りデータを受信するように構成されている。
【００５１】
なお、図２の例では、上述の第１周期及び第２周期を共に２０ｍｓ（２無線フレーム単位）としているため、下りデータ受信部１３は、１無線フレームおきのサブフレーム＃１において、下りデータを受信するように構成されている。
【００５２】
ＡＣＫ/ＮＡＣＫ送信部１４は、Ｐｅｒｓｉｓｔｅｎｔ情報によって固定的に且つ周期的に割り当てられたＰＵＣＣＨ（上り無線リソース）を介して、受信した下りデータに対する送達確認情報（ＡＣＫ/ＮＡＣＫ）を送信するように構成されている。
【００５３】
なお、ＡＣＫ/ＮＡＣＫ送信部１４は、Ｐｅｒｓｉｓｔｅｎｔ割当信号受信部１２によって上述のＰｅｒｓｉｓｔｅｎｔ割当信号（固定的割当信号）が受信された場合に、かかるＰＤＣＣＨを受信したサブフレームの所定時間後のサブフレームを、上述の第２割当開始時点として決定してもよい。
【００５４】
具体的には、ＡＣＫ/ＮＡＣＫ送信部１４は、Ｐｅｒｓｉｓｔｅｎｔ割当信号受信部１２によって上述のＰｅｒｓｉｓｔｅｎｔ割当信号が受信された場合に、ＰＵＣＣＨ（上り無線リソース）を介した上述の送達確認情報（ＡＣＫ/ＮＡＣＫ）の送信を行うように構成されている。
【００５５】
ここで、ＡＣＫ/ＮＡＣＫ送信部１４は、「Ｐｅｒｓｉｓｔｅｎｔスケジューリング」用のＰＤＳＣＨ（下り無線リソース）の割り当てが行われる第１時点と、かかる第１時点の後で上述のＰＵＣＣＨ（上り無線リソース）が最初に割り当てられている第２時点との時間差が、所定時間より短い場合、かかる第２時点の次にＰＵＣＣＨ（上り無線リソース）が割り当てられている第３時点で、ＰＵＣＣＨ（上り無線リソース）を介した送達確認情報（ＡＣＫ/ＮＡＣＫ）の送信を開始するように構成されている。
【００５６】
図２の例では、「Ｐｅｒｓｉｓｔｅｎｔスケジューリング」用のＰＤＳＣＨ（下り無線リソース）の割り当てが行われる第１時点（無線フレーム＃１、サブフレーム＃１）と、かかる第１時点（無線フレーム＃１、サブフレーム＃１）の後で上述のＰＵＣＣＨ（上り無線リソース）が最初に割り当てられている第２時点（無線フレーム＃１、サブフレーム＃４）との時間差が、所定時間（４サブフレーム分の時間、すなわち、４ｍｓ）より短い。
【００５７】
したがって、ＡＣＫ/ＮＡＣＫ送信部１４は、かかる第２時点（無線フレーム＃１、サブフレーム＃４）ではなく、かかる第２時点（無線フレーム＃１、サブフレーム＃４）の次にＰＵＣＣＨ（上り無線リソース）が割り当てられている第３時点（無線フレーム＃３、サブフレーム＃４）で、ＰＵＣＣＨ（上り無線リソース）を介した送達確認情報（ＡＣＫ/ＮＡＣＫ）の送信を行うように構成されている。
【００５８】
なお、かかる場合、ＡＣＫ/ＮＡＣＫ送信部１４は、第２時点前に生成された送達確認情報（ＡＣＫ/ＮＡＣＫ）を、第３時点まで送信しないで送信バッファ等に蓄積しておくように構成されていてもよい。
【００５９】
また、かかる場合、ＡＣＫ/ＮＡＣＫ送信部１４は、第２時点後に送達確認情報（ＡＣＫ/ＮＡＣＫ）の生成を完了させるように構成されていてもよい。
【００６０】
すなわち、ＡＣＫ/ＮＡＣＫ送信部１４は、送達確認情報（ＡＣＫ/ＮＡＣＫ）の作成に要する時間を、上述の所定時間以上とするように構成されていてもよい。このような構成によって、第１時点と第２時点との時間差が所定時間より短い場合である場合、ＡＣＫ/ＮＡＣＫ送信部１４は、第２時点までに、送達確認情報（ＡＣＫ/ＮＡＣＫ）の作成を完了させることができないため、当然、第２時点で、送達確認情報（ＡＣＫ/ＮＡＣＫ）を送信することができない。
【００６１】
一方、本発明に係る無線基地局ｅＮＢは、移動局ＵＥに対して、第１周期及び第２周期とを通知するように構成されている。
【００６２】
また、本発明に係る無線基地局ｅＮＢは、移動局ＵＥに対して、Ｐｅｒｓｉｓｔｅｎｔ割当信号（固定的割当信号）を送信した場合に、第１割当開始時点を起点として下り無線リソースを介した下りデータの送信を行うように構成されている。
【００６３】
また、本発明に係る無線基地局ｅＮＢは、下り無線リソースを割り当てている第１時点と、かかる第１時点の後で上り無線リソースを最初に割り当てている第２時点との時間差が、所定時間より短い場合、移動局ＵＥから、かかる第２時点の次に上り無線リソースが割り当てている第３時点で、第１時点で送信した下りデータに対する送達確認情報を該上り無線リソースを介して受信するように構成されている。
【００６４】
（本発明の第１の実施形態に係る移動通信システムの動作）
図３を参照して、本発明の第１の実施形態に係る移動通信システムの動作について説明する。
【００６５】
図３に示すように、ステップＳ１０１において、移動局ＵＥは、無線基地局ｅＮＢから、ＲＲＣメッセージ等によって、上述の第１周期と上述の第２周期と上述の第２割当開始時点とを含むＰｅｒｓｉｓｔｅｎｔ情報を受信する。
【００６６】
ステップＳ１０２において、移動局ＵＥは、無線基地局ｅＮＢによってＰＤＣＣＨを介して送信されたＰｅｒｓｉｓｔｅｎｔ割当信号を受信する。
【００６７】
ステップＳ１０３において、移動局ＵＥは、Ｐｅｒｓｉｓｔｅｎｔ割当信号を受信したタイミングを第１割当開始時点と決定し、「Ｐｅｒｓｉｓｔｅｎｔスケジューリング」用のＰＤＳＣＨ（下り無線リソース）を介して下りデータを受信する。
【００６８】
ステップＳ１０４において、移動局ＵＥは、Ｐｅｒｓｉｓｔｅｎｔ情報に含まれている「第２周期」及び「第２割当開始時点」によって規定されるＰＵＣＣＨ（上り無線リソース）を介して、ステップＳ１０３において受信した下りデータに対する送達確認情報（ＡＣＫ/ＮＡＣＫ）を送信する。
【００６９】
ここで、移動局ＵＥは、第１時点と第２時点との時間差が所定時間より短い場合、かかる第２時点の次にＰＵＣＣＨ（上り無線リソース）が割り当てられている第３時点で、ＰＵＣＣＨ（上り無線リソース）を介して、ステップＳ１０３において受信した下りデータに対する送達確認情報（ＡＣＫ/ＮＡＣＫ）を送信する。
【００７０】
その後、移動局ＵＥは、第１周期で固定的に割り当てられているＰＤＳＣＨ（下り無線リソース）を介して下りデータを受信し（ステップＳ１０３）、第２周期で固定的に割り当てられているＰＵＣＣＨ（上り無線リソース）を介して当該下りデータに対する送達確認情報（ＡＣＫ/ＮＡＣＫ）を送信する。（本発明の第１の実施形態に係る移動通信システムの作用・効果）
本発明の第１の実施形態に係る移動通信システムによれば、下り無線リソース（ＰＤＳＣＨ）を割り当てる時点を、上り無線リソース（ＰＵＣＣＨ）が割り当てられる時点の所定期間前の時点に限定する必要がなくなるため、「Ｐｅｒｓｉｓｔｅｎｔスケジューリング」による下り無線リソース（ＰＤＳＣＨ）を割当てる時点を柔軟に設定することが可能となり、無線利用効率の向上をはかることができる。
【００７１】
（変更例１）
上述の第１の実施形態に係る移動通信システムにおいて、第１周期と第２周期とが同一であってもよい。
【００７２】
すなわち、かかる場合、無線基地局ｅＮＢは、Ｐｅｒｓｉｓｔｅｎｔ情報によって、第１周期及び第２周期の双方に対応する１つの周期のみを通知するように構成されている。
【００７３】
（変更例２）
本変更例２に係る移動通信システムでは、移動局ＵＥが、下りデータを送信するための下り無線リソース（ＰＤＳＣＨ）及び下りデータに対する送達確認情報（ＡＣＫ/ＮＡＣＫ）を送信するための上り無線リソース（ＰＵＣＣＨ）を動的に割り当てるＤｙｎａｍｉｃ割当信号（動的割当信号）を無線基地局ｅＮＢから受信した場合で、かつ、Ｄｙｎａｍｉｃ割当信号（動的割当信号）によって上り無線リソース（ＰＵＣＣＨ）が動的に割り当てられている時点が上述の第２時点となる場合に、移動局ＵＥは、かかる第２時点において、Ｐｅｒｓｉｓｔｅｎｔ割当信号（固定的割当信号）によって割り当てられた下り無線リソース（ＰＤＳＣＨ）を介して受信した下りデータに対する送達確認情報、或いは、Ｄｙｎａｍｉｃ割当信号（動的割当信号）によって割り当てられた下り無線リソース（ＰＤＳＣＨ）を介して受信した下りデータに対する送達確認情報のいずれか一方を送信するように構成されている。
【００７４】
例えば、図４（ａ）に示す例では、「Ｐｅｒｓｉｓｔｅｎｔスケジューリング」用のＰＤＳＣＨ（下り無線リソース）の割り当てが行われる第１時点（無線フレーム＃１、サブフレーム＃１）と、かかる第１時点（無線フレーム＃１、サブフレーム＃１）の後で上述のＰＵＣＣＨ（上り無線リソース）が最初に割り当てられている第２時点（無線フレーム＃１、サブフレーム＃７）との時間差が、所定時間（４サブフレーム分の時間、すなわち、４ｍｓ）より長い。
【００７５】
したがって、ＡＣＫ/ＮＡＣＫ送信部１４は、かかる第２時点（無線フレーム＃１、サブフレーム＃７）で、ＰＵＣＣＨ（上り無線リソース）を介した送達確認情報（ＡＣＫ/ＮＡＣＫ）を送信するように決定する。
【００７６】
一方、下りデータ受信部１３は、無線フレーム＃１のサブフレーム＃３において、Ｄｙｎａｍｉｃ割当信号（動的割当信号）によって割り当てられている下り無線リソースを介して下り信号を受信し、ＡＣＫ/ＮＡＣＫ送信部１４は、当該無線フレーム＃１のサブフレーム＃３の所定時間後（例えば、４サブフレーム後）である無線フレーム＃１のサブフレーム＃７（上述の第２時点）に、該下りデータに対する送達確認情報（ＡＣＫ/ＮＡＣＫ）を送信するように決定する。
【００７７】
ここで、Ｄｙｎａｍｉｃ割当信号（動的割当信号）によって下りデータ送信用の下り無線リソースが動的に割り当てられる時点と、当該下りデータに対する送達確認情報送信用の上り無線リソースが割り当てられる時点との時間差は、固定（例えば、４サブフレーム）であるものとする。
【００７８】
また、ＬＴＥ方式の移動通信システムでは、移動局ＵＥのＡＣＫ/ＮＡＣＫ送信部１４は、シングルキャリアによって送達確認情報を送信するように構成されているため、図４（ａ）の状況では、無線フレーム１のサブフレーム＃７において、Ｐｅｒｓｉｓｔｅｎｔ割当信号（固定的割当信号）によって割り当てられた下り無線リソース（ＰＤＳＣＨ）を介して受信した下りデータに対する送達確認情報（ＡＣＫ/ＮＡＣＫ）、或いは、Ｄｙｎａｍｉｃ割当信号（動的割当信号）によって割り当てられた下り無線リソース（ＰＤＳＣＨ）を介して受信した下りデータに対する送達確認情報（ＡＣＫ/ＮＡＣＫ）のいずれか一方を送信するように構成されている。
【００７９】
同様に、本変更例２に係る移動通信システムでは、移動局ＵＥが、下りデータを送信するための下り無線リソース（ＰＤＳＣＨ）及び下りデータに対する送達確認情報（ＡＣＫ/ＮＡＣＫ）を送信するための上り無線リソース（ＰＵＣＣＨ）を動的に割り当てるＤｙｎａｍｉｃ割当信号（動的割当信号）を無線基地局ｅＮＢから受信した場合で、かつ、Ｄｙｎａｍｉｃ割当信号（動的割当信号）によって上り無線リソース（ＰＵＣＣＨ）が動的に割り当てられている時点が上述の第３時点となる場合に、移動局ＵＥは、かかる第３時点において、Ｐｅｒｓｉｓｔｅｎｔ割当信号（固定的割当信号）によって割り当てられた下り無線リソース（ＰＤＳＣＨ）を介して受信した下りデータに対する送達確認情報、或いは、Ｄｙｎａｍｉｃ割当信号（動的割当信号）によって割り当てられた下り無線リソース（ＰＤＳＣＨ）を介して受信した下りデータに対する送達確認情報のいずれか一方を送信するように構成されている。
【００８０】
例えば、図４（ｂ）に示す例では、「Ｐｅｒｓｉｓｔｅｎｔスケジューリング」用のＰＤＳＣＨ（下り無線リソース）の割り当てが行われる第１時点（無線フレーム＃１、サブフレーム＃３）と、かかる第１時点（無線フレーム＃１、サブフレーム＃３）の後で上述のＰＵＣＣＨ（上り無線リソース）が最初に割り当てられている第２時点（無線フレーム＃１、サブフレーム＃４）との時間差が、所定時間（４サブフレーム分の時間、すなわち、４ｍｓ）より短い。
【００８１】
したがって、ＡＣＫ/ＮＡＣＫ送信部１４は、かかる第２時点（無線フレーム＃１、サブフレーム＃４）ではなく、かかる第２時点（無線フレーム＃１、サブフレーム＃４）の次にＰＵＣＣＨ（上り無線リソース）が割り当てられている第３時点（無線フレーム＃３、サブフレーム＃４）で、ＰＵＣＣＨ（上り無線リソース）を介した送達確認情報（ＡＣＫ/ＮＡＣＫ）を送信するように決定する。
【００８２】
一方、下りデータ受信部１３は、無線フレーム＃１のサブフレーム＃０において、Ｄｙｎａｍｉｃ割当信号（動的割当信号）によって割り当てられている下り無線リソースを介して下り信号を受信し、ＡＣＫ/ＮＡＣＫ送信部１４は、当該無線フレーム＃３のサブフレーム＃０の所定時間後（例えば、４サブフレーム後）である無線フレーム＃３のサブフレーム＃４（上述の第３時点）に、該下りデータに対する送達確認情報（ＡＣＫ/ＮＡＣＫ）を送信するように決定する。
【００８３】
ここで、Ｄｙｎａｍｉｃ割当信号（動的割当信号）によって下りデータ送信用の下り無線リソースが動的に割り当てられる時点と、当該下りデータに対する送達確認情報送信用の上り無線リソースが割り当てられる時点との時間差は、固定（例えば、４サブフレーム）であるものとする。
【００８４】
また、ＬＴＥ方式の移動通信システムでは、移動局ＵＥのＡＣＫ/ＮＡＣＫ送信部１４は、シングルキャリアによって送達確認情報を送信するように構成されているため、図４（ｂ）の状況では、無線フレーム２のサブフレーム＃４において、Ｐｅｒｓｉｓｔｅｎｔ割当信号（固定的割当信号）によって割り当てられた下り無線リソース（ＰＤＳＣＨ）を介して受信した下りデータに対する送達確認情報（ＡＣＫ/ＮＡＣＫ）、或いは、Ｄｙｎａｍｉｃ割当信号（動的割当信号）によって割り当てられた下り無線リソース（ＰＤＳＣＨ）を介して受信した下りデータに対する送達確認情報（ＡＣＫ/ＮＡＣＫ）のいずれか一方を送信するように構成されている。
【００８５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８９】
【図１】本発明の第１の実施形態に係る移動局の機能ブロック図である。
【図２】本発明の第１の実施形態に係る移動通信システムにおいて行われるＰｅｒｓｉｓｔｅｎｔスケジューリングについて説明するための図である。
【図３】本発明の第１の実施形態に係る移動局の動作を示すフローチャートである。
【図４】本発明の変更例２に係る移動通信システムを説明するための図である。
【図５】ＬＴＥ方式の移動通信システムにおいて行われる通常のくだりスケジューリングについて説明するための図である。
【図６】ＬＴＥ方式の移動通信システムにおいて行われるＰｅｒｓｉｓｔｅｎｔスケジューリングについて説明するための図である。
【符号の説明】
【００９０】
ＵＥ…移動局
１１…Ｐｅｒｓｉｓｔｅｎｔ情報受信部
１２…Ｐｅｒｓｉｓｔｅｎｔ送信開始要求受信部
１３…下りデータ受信部
１４…ＡＣＫ/ＮＡＣＫ送信部
【図１】
2009260403.tif 000003
【図２】
2009260403.tif 000004
【図３】
2009260403.tif 000005
【図４】
2009260403.tif 000006
【図５】
2009260403.tif 000007
【図６】
2009260403.tif 000008